(57)【特許請求の範囲】
【請求項１】
平型中空角パイプのピット状を呈する小口部を、ポット本体のピット部とし、ピット部を上方に向け、ポツト本体を縦方向に装着できるよう本体外側面に、直板状のプレートが接合されたＩＬ型コネクターポット，又は，同様部材の本体外側面に接合されるプレートがＺ型に段違い形状に接合されたＩＬＺ型コネクターポット、同様部材でポットを縦方向に固定するプレートがポット本体の底面にＬ型に接合され、畳に接する底面に、ポットを畳床に固定するためのピンが予め装備されたアンカーポット（ＣＰ型ポットと呼称）、又は、畳床に固定するためのピンが前記プレートの底面に予め装備されなくて、アンカーポットの設置を先行させ、アンカーポットの設置部位確定後ピンを挿入する事ができるアンカーポット（ＰＰ型アンカーポットと呼称）で、アンカー・コネクターの両ポットは構成され、、アンカー・コネクターの両ポットを固着するコネクターピースは、前記ポットが直列装備されている場合はピットに挿入される二個のコネクターピースがその頂部を補強材で連結固着され一枚のコネクターピースに構成された直列固定コネクターピース（ＥＷＳと呼称）又は、前記ポットが並列装備されている場合は二枚のコネクターピースの頂部を、Ｕ形のフインでツイン形状に連結固着された並列ポットの固定コネクターピース（ＥＷＵと呼称）によりアンカーポット・コネクターポット・コネクターピースの固定端末装具が構成され，ＣＰ型、又は、ＰＰ型のアンカーポットによる直列固着方式、ＣＰ型、又は、ＰＰ型の、アンカーポット、及び、ＩＬＺ型コネクターポットの組み合わせによる並列ポツト直結固着方式のいずれかを選択する事により畳床面に家具脚部を直結固着することが可能となる機能を保有する事を特徴とする家具転倒防止装具。
【発明の詳細な説明】
【技術分野】
【０００１】
この発明は、地震等の外力による家具の転倒を防止するため、アンカー部となる家屋の壁面、柱、鴨居等の屋内横架材、畳寄席天端、板床表面、畳床等、家屋内の任意の部位に装着された固定端末装具のアンカーポットＡ、又は、同Ｃ・Ｃ` と、アンカーポットＡ、又は、Ｃ・Ｃ` に整合する部位に装着された家具部固定端末装具のコネクターポットＢ、又は、同Ｄ・Ｄ２を、直結固定方式の場合には連結装具のコネクターピースＥ・ＥＷＵ・ＥＷＳで、離点間連結方式の場合にはコネクターピースＦ・ＦＫで、相互のポットを連結し、直結、又は、離点間連結のそれぞれの固定方式により家具の転倒を防止するほか、分割積層方式の家具、又は、並列設置された家具のそれぞれを相互に連結固定することが出来る、家具転倒防止装具の提供に関するものである。
【背景技術】
【０００２】
従来の技術方式には大別して
ア  家屋の天井と家具頂部との空間にパッキンとなる部材を設置する。
イ  家屋の壁面又は柱等と家具をＬ型金具等で直接固定する。
ウ  家屋の壁面にアンカー装具を装着し、ワイヤー、その他の連結装具で家具の頂部と連結する等の方式があり、それぞれにそれなりの問題点がある。
【先行技術文献】
【特許文献】
【０００３】
【特許文献１】特開２００６−１５８８０９
【特許文献２】特開２００６−１２２１００
【特許文献３】特開２００１−１９０３４９
【特許文献４】特開２００７−６８８７２
【特許文献５】特開平９−３７１
【特許文献６】特開平１０−３２３２５０
【特許文献７】登録実用第３０６３２８６
【発明の概要】
【発明が解決しようとする課題】
【０００４】
従来の技術方式による場合、次のような問題点がある。
ア  背景技術ア項による方式では、外力によりパッキンとなる部材が外れれば効果は無効となり、且つ、アンカーとなる天井部にはその位置にそのための特別な補強施工がされていない場合には通常期待するほどの対応強度は保有しない。
イ  背景技術イ項による方式では、アンカー部の家屋壁見付面と固定される家具面が通常は密着しており、且つ、家具頂部への固定装具の固着施工は危険の伴う脚立作業となるため、Ｌ金具等による直接固定を確実に施工するためにはそれなりの技能レベルが必要となる
ウ  背景技術ウ項の方式では、アンカー装具の装着部位は，通常形態として家具頂部よりも高い部位の家屋壁面の見付面であり、壁見込み面の部位に装着が可能な方式のものは無く、また装具自体が大掛りな装具でそれなりの重量がある場合や、脚立作業を要する高所施工等、固定装具の装着施工時にかなりの危険を伴うことがあり、専門技能職でなければ装具装着が難しい場合や，相応の経費を必要とする場合等、誰でも自力で、気軽に固定装具の装着施工ができるような簡便な固定装具ではない場合が多い。
エ  アンカー装具を装着しようとする壁面が、小舞下地の土壁である場合や、床面が畳床の場合は、その部位はアンカー装具装着部位としては不適合箇所となるため、木造真壁小舞下地の壁面や、畳床面にはアンカー装具がそのままでは装着できず、固定端末装具装着可能な部位は、柱の見付面、同チリ面、鴨居、寄席鴨居、長押等屋内横架材の見付面、同チリ面，床板、畳寄席の天端面等装着部位が限定され、家屋内の全面にアンカーとしての機能を発揮させる装具を任意に装着することはできない。
オ  数段に分割積層された家具、又は、並列に設置された家具等は、家具転倒防止対策上アンカー部への固定と併行して、家具相互の連結固定をする必要がある。
【課題を解決するための手段】
【０００５】
この発明による家具の固定端末装具は、アンカー部へ装着するアンカーポット、家具部へ装着するコネクターポツト、双方のポットを連結するコネクターピースで構成され、各装具が、それぞれ任意の組合せで任意の部位に装着できること、コネクターピースの着脱によりワンタッチで家具の固定と同解除が可能となること、家具をアンカー部へ固定出来る機能のみではなく、家具相互の連結も可能な機能を保有していること等について、主たる用語の定義と、それぞれの装具が保有する機能を図面を併用して記述する。
ア  主たる用語の定義
（ア）アンカーポット
アンかーポットとは、図１に例示された記号Ａ、又は、同記号Ｃ・Ｃ` に相当す      る図２〜図１３・図２１・図２２・図２８〜図４２に例示された各型式の固定端末      装具が、アンカー部の各部位に装着される場合を指す
（イ）コネクターポット
コネクターポットとは、図１に例示された記号Ｂ、又は、同記号Ｄ・Ｄ２に相当      する図２〜図１１・図１４・図２２〜図３８に例示された各型式の固定端末装具        が、固定を要する家具の各部位に装着される場合を指す。
（ウ）コネクターピース
コネクターピースとは、アンカーポットとコネクターポットのそれぞれへ、挿入      される図１５に例示された記号Ｅ、図１７に例示された記号ＥＷＳ、図１９に例示      された記号ＥＷＵを、各ポットのコネクターピース挿入ピット部のニに挿入し、ア      ンカー部と、家具部双方のポットを、直接連結する場合に用いられる、直結固定方      式に適合する連結結装具、及び、アンカーポツトとコネクターポットの装着部位が      近接部位に無く直結固定が不能な場合に、アンカーポットとコネクターポット間を      連結するケーブルの両端末に、図１６に例示された記号Ｆの装具を装備し、アン        カーポットとコネクターポットのそれぞれに、同装具を挿入する事でアンカー部と      家具部が連結固定できる、離点間連結方式に適合する連結固定装具と、図１・図        ２６・図２７に例示された、対向するアンカーポット間に展張されたケーブルＧ        と、家具部に装着された記号Ｄ２のコネクターポットを、図１８・図２６・図２７      に例示された記号ＦＫの装具で連結する、ケーブルアンカー代替離点間連結方式に      適合する連結固定装具のそれぞれを指す。
（エ）直結固定方式
直結固定方式とは、図２８〜図３８に例示された、アンカーポツトと、コネク        ターポットが、縦方向の積層、横方向の直列、同並列、同重層等それぞれの方式で      直近部位に装着された双方のポットに、単個のコネクターピスを挿入する事によ        り、直接連結固定が成立する固定方式を指す。
（オ）離点間連結固定方式
離点間連結固定方式とは、アンカーポットとコネクターポットが、直近部位に装      着されず直結固定ができない場合に、アンカー部、家具部を連結するケーブルの両      端末に装備された図６記号Ｆのコネクターピースを、それぞれのポットに挿入する      事で連結固定が可能となる、単個のコネクターピースの挿入だけでは連結固定が成      立しない方式のものを指す。
（カ）ケーブルアンカー代替離点間連結方式
ケーブルアンカー代替離点間連結方式とは、家具背面等の家屋壁面が、アンカー      としての機能不適合箇所である場合に、アンカー機能を保有する他の壁面部位に、      アンカーポットを対向装着し、該ポット間に展張されたケーブルＧに、アンカーと      しての機能を代替させ、該ケーブルと家具を、図１８記号ＦＫのコネクターピース      により、図２６・図２７に例示された方式で連結されるものを指す。
イ  それぞれの装具が保有する機能の特徴
（ア）施工難度の解消機能
アンカー部にあっては、家屋の壁面、柱、鴨居・長押等の屋内横架材、畳寄席の      天端、板床表面、畳床等の各部位へ装着できる図１〜図１４・図２０・図２１・図      ２８〜図４２に例示された各固定方式の装具のなかから、装着部位に最も良く適合      する型式のアンカーポットＡ、又は、同Ｃ・Ｃ` を任意に選択し、家具部にあって      は、図１〜図１１・図１４の型式装具のなかから、図２２〜図３８に例示された装      着方式により、アンカーポットＡ, 又は ,同Ｃ・Ｃ` に最も良く適合するコネク        ターポットＢ、又は、Ｄ・Ｄ２を任意に選択し、双方のポットが整合するアンカー      部、家具部のそれぞれ任意の部位に、固定端末装具を別個に装着することができ、      装具装着施工時の施工難度が解消される。
（イ）ポットの構成機能と得られる効果
図２〜図１４及び図３９・図４１の固定端末装具は、それぞれ共通してポット本      体部のイと、イに設けられたコネクターピースを挿入するピット部のロを、所定方      向に装備するためのプレート部ハで構成され、プレート部のハには、ポット本体を      アンカー部、又は、家具部に固着するためのビス等が挿入できるピットのニが設け      られており、それぞれのポットを、アンカー部に装着した場合はアンカーポットと      なり、アンカーポット専用装具を除き、家具部に装着した場合には、同一型式の装      具がコネクターポットとなる。といった個々の装具自体が保有する多機能汎用性に      より、装具型式選択の自由度と、装具装着施工者の創意工夫により、それぞれの型      式装具を任意に組合せることができる装具型式組合せの自由度や、装着部位の選択      が任意に設定できる装着部位選択の自由度等から、固定端末装具の装着不能箇所が    全て解消される。
（ウ）畳床面をアンカー装具装着適合部にできる機能
アンカーポットの装着部位が畳床の場合でも、図３３・図３５・図３７に例示        されたアンカーポットプレート部ハの底面に、アンカーポットを固定するための        ピンＣＰが予め固着されたＣＰ型アンカーポット，又は、アンカーポットを固定        するためのピンＰＰを、プレート部ハのピン挿入ピットのニに挿入してアンカー        ポットを固定する図３４・図３６・図３８に例示されたＰＰ型アンカーポットの        いずれかにより、畳床面にも固定端末装具を装着することができる。畳床に挿入        された固定ピンは直上方向の加力でなければ引抜けず、装着されたおポットから        畳床に直上方向への加力が作用することはないため、畳床でも、該アンカーポッ        トを装着すれば、アンカー装具装着可能箇所とすることができる。なおＰＰ型式        のポットは、畳寄席天端面や、板床面にもビス固定等で装着することが可能であ        り、装着可能部位が畳床面のみに限定されるものではない。
（エ）直結不能箇所への対応機能
固定しようとする家具周辺の現況が直結固定方式採用不適合箇所で、家具背面        等に近接する箇所に、アンカーポットＣ・Ｃ` が装着できる柱や、屋内横架材等        がある場合ば、図１・図２０・図２１・図３９〜図４２に例示されたアンカー          ポットＣ・Ｃ` と、同Ｃ・Ｃ` に整合させて、家具部には、図２２〜図２５に例        示されたコネクターポツトＤを装着、Ｃ・Ｃ` とＤとの間が連結できるケーブル        の両端末に、装備された図１６のコネクターピースＦを，Ｃ・Ｃ` 及び，Ｄ、そ        れぞれのポットに挿入する事で、アンカー部と家具部を離点間連結機能により連        結固定する。
（オ）家具背面の壁面にアンカーポット装着が不能な場合の対応機能
家具背面等に近接する家屋の壁面が、アンカーポットＣ、又は、Ｃ`の 装着不適      合箇所である場合、アンカーポットの装着が可能な他の壁面部位に、アンカーポッ      トＣ又は、Ｃ` を対向して装着する。対向装着されたＣ〜Ｃ、又は、Ｃ` 〜Ｃ` 間      に、同区間の亘長に相当するケーブルの両端末に、装備された図６記号Ｆのコネク      ターピースを、該ポットのそれぞれに挿入して、該区間にケーブルＧを展長する。      家具部には頂部近接部位に図２６・図２７に例示されたコネクターポットＤ２を装      着する。展張されたケーブルＧを包込める型式の図１８に例示された記号ＦＫのコ      ネクターピースを、Ｄ２のコネクターポットに挿入し、展張されたケーブルＧと家      具頂部を連結する事で、家具背面の家屋壁面部がアンカー装具装着不適合箇所で        あっても、家具の固定は可能となり、固定装具の装着不能箇所が全て解消される。      なお、家具頂面近傍に装着するコネクターポットＤ２は、コネクターピースＦＫと      マッチングする型式のものであれば、図２６・図２７に例示されたもの以外のもの      でも、Ｄ２として装着することができる。
（カ）家具相互の連結機能
数段に積層された、又は、並列に設置された家具等は、図２８〜図３１に例示さ      れた固定端末装具の装着例を応用して、現況に最も良く適合する装具を図２〜図        １１・図１４〜図１９の中から、装具の組合せと装着方式を選択しそれぞれの固定      方式により家具相互を任意に連結固定することができる。
（ク）施工の安全性と簡便性機能
固定端末装具のそれぞれが、コンパクトで単純な構成のものであるため，装着施      工時に特殊な工具や技能等を必要とせず、装着可能部位が制限されないことから特      別な事情がない限り脚立作業が必要な高所への装着や、重量物を取扱う事は不要と      なり、施工に伴う危険が回避できる。
（ケ）装着効果確認の容易性機能
簡便で単純な構成の装具であることから、装具装着の確実性、装具装着後の効果      の確認、及び、所要の補正等が容易である。
【発明の効果】
【０００６】
この発明で得られるな効果について図面を併用して記述する。
ア  図１・図２０・図２１・図２８〜図４２の各図に例示されているように、家具を設    置する部位の現況に適応する各固定端末装具と、固定方式が任意に選択できるため，    アンカーとしての機能が発揮できる部位であれば家屋内の任意の箇所にアンカー装具    の装着が可能となり、固定端末装具の装着不能箇所が全面的に解消される。
イ  アンカー部と家具部のそれぞれに、図２〜図１４・図２０〜図４２に例示された固    定端末装具のそれぞれを別個に装着施工をする事ができるため，装具装着施工の容易    性と装具装着の確実性が得られる。
ウ  図２２〜図３８に例示されているように、連結装具のコネクターピースを各ポット    のピット部ロに挿入し、アンカー部と家具部を連結固定する方式であることから、コ    ネクターピースを挿入すれば固定、同ピースを引抜けば固定解除が可能となる、連結    装具のワンタッチ着脱機能の効果から家具の配置換え等の場合便利である。
エ  家具の固定方式が、図２８〜図３０に例示されたアンカーポットとコネクターポッ    トが縦列積層方式で装着された場合は、積層ポットの深さ分の脚長を持つ、図１５の    積層ポット用コネクターピースＥで、図３２・図３７・図３８に例示されたアンカー    ポットとコネクターポットが並列重層方式で装着されている場合は、図１９の並列重    層方式用のコネクターピースＥＷＵで、図３１・図３３・図３４に例示されたアン      カーポットとコネクターポットが直列ニ連方式で装着されている場合は、図１７の直    列ニ連方式用コネクターピースＥＷＳで、図３５・図３６に例示されたアンカーポッ    トとコネクターポットが直列横方向に連装されている場合は、図１５のコネクター      ピースＥを、それぞれ各ポットのピット部ロヘ挿入する事で固定ができ、家具設置箇    所の現況に適合する装具の型式と固定方式を、任意に選択することにより、アンカー    装具装着不能箇所がすべて解消され家具固定不能箇所は生じなくなる。
オ  直結固定方式による家具固定が不適の箇所で、家具背面の家屋壁面にアンカーポッ    トの装着可能部位がある場合には、その箇所に最も良く適合するアンカーポットＣ、    又はＣ` を装着し、家具部にはコネクターポットＤを装着する。Ｃ、又は、Ｃ` とＤ    が連結できるように調整された図２４・図２５記号チのケーブルの両端に、図１６に    例示されたコネクターピースＦを装備し、アンカー部、家具部それぞれのポットに、    該ピースを挿入する事で、離点間連結方式による家具がワンタッチで連結固定でき      る。
カ  家具背面部の家屋壁面が、アンカーポットの装着不適合箇所である場合、アンカー    ポットの装着が可能な他の部位にアンカーポットＣ、又は、Ｃ` を対向して装着をす    る。Ｃ〜Ｃ、又は，Ｃ` 〜Ｃ` 間の亘長に適合するように調整されケーブルＧの両端    に、図１６に例示されたコネクターピースＦを装備し、該アンカーポットのそれぞれ    に、Ｆのコネクターピースを挿入して、該区間にケーブルＧを展張する。家具頂部近    接部位に、図２６・図２７に例示された記号Ｄ２のコネクターポットを装着し、図      １８・図２６・図２７に例示された、コネクターピースＦＫで、展張されたケーブル    ＧとコネクターピースＤ２を連結すれば、アンカー装具装着不適合壁面の場合でも家    具の連結固定が可能となる。
キ  積層分割方式の家具、又は、並列設置された家具を相互に連結することを要する場    合図２８・図２９・図３１に例示された方式を応用して、積層家具、及び、並列設置    された家具を連結することができるほか、図２〜図１１・図14〜図１７・図１９の各    型式装具のなかから現況に適合する装具を選択し、家具相互の任意部位へ同装具を装    着する。同装具に適合するコネクターピースを同ポットへ挿入すれば連結固定が可能    となる等、例示された方式以外にも連結可能な方式もあり、アンカー部への固定とは    別個に、家具自体を相互に連結固定することができる。
ク  各装具の広範な汎用性、取扱いの容易性、等から装着施工時の安全性や、装着効果    の確実性が得られ、総合的に装具装着所要経費の経済性が得られる。
【図面の簡単な説明】
【０００７】
【図１】アンカーポット、コネクターポット、それぞれの装具が装着できる部位を例示    した装具装着イメージ斜視図である。イメージ斜視図は図３８まで共通。
【図２】アンカーポツト及びコネクターポットの、いずれにも利用できるＩＬ型ポット    のイメージ図。各ポットがアンカー部，家具部のいずれの部位にも装着できる多機能    汎用性はを保有していることは，図１２・図１３図３３〜図３８及び図３９〜図４２    のアンカー専用ポットを除き，全て共通。
【図３】ＩＩ型ポット
【図４】ＬＬ型ポット
【図５】ＬＩ型ポット
【図６】左勝手のＰＬＬ型ポットと、右勝手のＰＬＲ型ポット
【図７】左勝手のＰＩＬ型ポットと、右勝手ＰＩＲ型ポット
【図８】左勝手のＰＬＬＬ型ポットと、右勝手ＰＬＬＲ型ポット
【図９】左勝手のＰＳＬ型ポットと、右勝手のＰＳＲポット
【図１０】左勝手のＶＬＬ型ポットと、右勝手のＶＩＲ型ポット
【図１１】左勝手のＬＸＬ型ポットと、右勝手のＬＸＲ型ポット
【図１２】畳寄席・板床表面装着用の左勝手ＢＺＬ型ポットと右勝手のＢＺＲ型ポット
【図１３】畳寄席・板床表面装着用の右勝手ＢＰＲ型ポットと左勝手のＢＰＬ型ポット
【図１４】右勝手のＢＯＸ型ポットと、左勝手のＢＯＸ型ポット
【図１５】コネクターピースＥ
【図１６】コネクターピースＦ
【図１７】コネクターピースＥＷＳと、直列ニ連方式のアンカーポット及びコネクター    ポット
【図１８】コネクターピースＦＫ
【図１９】コネクターピースＥＷＵ
【図２０】柱見付面へのアンカーポット装着例
【図２１】柱チリ面へのアンカーポット装着例
【図２２】ＩＬ型ポットの家具頂面への装着例
【図２３】ＩＩ型ポットの家具頂面への装着例
【図２４】ＢＯＸＬ型ポットの家具頂面への装着例
【図２５】ＢＯＸＲ型ポットの家具帳面への装着例
【図２６】家具頂部のＩＩ型ポットと展張ケーブルＧとのＦＫによる連結例
【図２７】家具頂部のＩＬ型ポットと展張ケーブルＧとのＦＫによる連結例
【図２８】柱チリ面ＰＩＬ型ポット、家具背面ＬＬ型ポット、コネクターピースＥによ    る積層直結例
【図２９】柱チリ面ＰＬＬ型ポット，家具背面ＩＬ型ポット、コネクターピースＥによ    る積層直結例
【図３０】畳寄席天端面ＢＰＬ型ポット、家具背面ＰＬＬ型ポット、コネクターピース    Ｅによる積層直結例
【図３１】柱チリ面ＰＬＬ型ポット、家具背面ＩＬ型ポット、コネクターピースＥＷＳ    による直列ニ連直結例
【図３２】柱チリ面ＰＬＬ型ポット、家具背面ＩＬ型ポット、コネクターピースＥＷＵ    による並列重層直結例
【図３３】畳床面ＰＬＬＲＣＰ型ポット、家具側面脚部ＩＬ型ポット、コネクターピー    スＥＷＳによる直結例
【図３４】畳床面ＰＬＬＲＰＰ型ポット、家具側面脚部ＩＬ型ポット、コネクターピー    スＥＷＳによる直結例
【図３５】畳床面ＰＬＲＣＰ型ポット、家具側面脚部ＩＬポット、コネクターピースＥ    による直列重層直結例
【図３６】畳床面ＰＬＲＰＰ型ポット，家具側面脚部ＩＬポット、コネクターピースＥ    による直列重層直結例
【図３７】畳床面ＰＬＬＲＣＰ型ポット、家具側面脚部ＩＬＺ型ポット、コネクター      ピースＥＷＵによる並列重層直結例
【図３８】畳床面ＰＬＬＲＰＰ型ポット、家具側面脚部ＩＬＺ型ポット、コネクター      ピースＥＷＵによる並列重層直結例
【図３９】長押装着専用鞍掛平型アンカーポット斜視図
【図４０】長押装着専用鞍掛平型アンカーポット断面図
【図４１】長押装着専用鞍掛旗型アンカーポット斜視図
【図４２】長押装着専用倉掛旗型アンカーポット断面図
【発明を実施するための最良の形態】
【０００８】
この発明に係わる最良の形態を図面を併用して記述する。
ア  家屋及び家具設置部位の現況確認に基づき、図１に例示された方式のなかから現況    に最も良く適合する固定方式を、直結固定、離点間連結のいずれかから選択確定す      る。
イ  図１〜図４２の中から現況に最も良く適合する装具を選択し，それぞれ所定の部位    に装着する。
ウ  各装具をそれぞれの部位に装着後、家具を所定位置に設置し、図２２〜図４２に例    示されたそれぞれのコネクターポットに適合するコネクターピースを，直結固定方式    にあっては、図１５のＥ・図１７のＥＷＳ・図１９のＥＷＵを、離点間連結方式に      あっては、図１６のＦ・図１８のＦＫを、それぞれのコネクターポットのピット部ロ
に挿入して家具を固定する。
エ  図１に例示した固定端末装具を複数個装着する必要がある場合は、装具の装着方式
と装着部位，及び、所要の装着数を確定する。
【実施例】
【０００９】
この発明の実施例を各方式毎に図面を併用して記述する。
ア  図２８は、柱チリ面部に図７のＰｉＬ型アンカーポットを、家具背面部に図４のＬ
Ｌ型コネクターポットを、縦列積層方式で装着し、積層されたポットの深さ分の脚長    を持つ図１５のコネクターピースＥで直結する例である。
イ  図２９は、柱チリ面部に図６のＰＬＬ型アンカーポットを、家具背面部に図２のＩ    Ｌ型コネクターポットを、縦列積層方式で装着し、積層されたポットの深さ分の脚長    を持つ図１５のコネクターピースＥで直結する例である。
ウ  図３０は、畳寄席天端面に図１３のＢＰＬ型アンカーポットを、家具背面部に図６    のＰＬＬ型コネクターポットを、縦列積層方式で装着し、積層されたポットの深さ分    の脚長を持つ図１５のコネクターピースＥで直結する例である。
エ  図３１は、柱チリ面部に図６のＰＬＬ型アンカーポットを、家具背面部に図２のＩ
Ｌ型コネクターポットを、直列ニ連方式で装着し、図１７のコネクターピースＥＷＳ    で直結固定する例である。
オ  図３２は、柱チリ面部に図６のＰＬＬ型アンカーポットを、家具部背面部に図２の
ＩＬ型コネクターポットを、並列重層方式で装着し、図１９のコネクターピースＥＷ    Ｕで直結固定する例である。
カ  図３３は、畳床表面に図８ＰＬＬＲポットの底面にアンカーポットを固定させるた
めのピンＣＰが、予め固着されたＰＬＬＲＣＰ型アンカーポットを、家具側面の脚部
に図２のＩＬコネクターポットを、直列ニ連の方式で装着し、図１７のＥＷＳコネク
ターピースで直結固定する例である。
キ  図３４は、図８のＰＬＬＲ型アンカーポットのプレート部ハを固定するピン挿入      ピットのニに、アンカーポット固定ピンＰＰを挿入し、アンカーポットの固定をする    ＰＬＬＲＰＰ型アンカーポット方式のもので、図１７のコネクターピースＥＷＳによ
り直結固定する方式は図３３の方式と同様のものである。
ク  図３５は、畳床表面に、図６のＰＬＲ型ポットの底面にアンカーポットを固定させ    るためのピンＣＰが、予め固着されたＰＬＲＣＰ型アンカーポットを、家具側面の脚    部に図２のＩＬコネクターポットを、直列重層方式で装着し、図１５のコネクター      ピースＥで直結固定する例である。
ケ  図３６は、図６のＰＬＲ型アンカーポットのプレート部ハを固定するピン挿入ピッ
トのニに、アンカーポット固定ピンＰＰを挿入し、アンカーポットの固定をするＰＬ
ＲＰＰ型アンカーポット方式のもので、図１５のコネクターピースＥで直結固定す
るのは、図３５の方式と同様のものである。
コ  図３７は、畳床表面に、図８のＰＬＬＲ型アンカーポットの底部にアンカーポット
を固定させるためのピンＣＰが、予め固着されたＰＬＬＲＣＰ型アンカーポットを、
家具側面脚部に、図２のＩＬコネクターポットのプレート部ハがＺ型に加工されたＩ
ＬＺ型ポットを並列重層方式で装着し図１９のコネクターピースＥＷＵで直結固定す
る方式の例である。
サ  図３８は、図８のＰＬＬＲ型アンカーポットのプレート部ハを固定するピン挿入
ピット部のニに固定ピンＰＰを挿入し、アンカーポットを固定させるＰＬＬＲＰＰ型
アンカーポット方式のもので、図１９のコネクターピースＥＷＵで並列重層直結固定
とするのは図３７の方式と同様である。
シ  図３９は、ポット本体部イが、コネクターピース挿入ピット部ロの長辺が長押見付
面と平行の向きに、プレート部ハの下端末に装備された鞍掛平型アンカーポットＣ`
を、長押天端に跨がせ、ビスで装着固定されたポットのピット部ロに、コネクター
ピースＦを挿入し家具と連結するアンカーポットの設置例である。
ス  図４１は、アンカーポット本体部イのコネクターピース挿入ピット部ロの長辺側を
長押見付面と直交する向きにプレート部ハの下端末に装備された鞍掛け旗型アンカー
ポットＣ` を長押に跨がせて装着固定したポットのピット部ロにコネクターピースＦ
を挿入し家具と連結アンカーポットの設置例である。
【符号の説明】
【００１０】
１  アンカー部の真壁柱見付面
２  アンカー部の真壁柱チリ面
３  アンカーの部鴨居見付面
４  アンカー部の真壁見付面
４’  小舞壁本体
５  アンカー部の長押見付面
６  アンカー部の天井廻縁見付面
７−Ｓ  家具側面
７−Ｂ  家具背面
７−Ｔ  家具頂面
７−Ｆ  家具前面
７−Ｐ  家具後框
７−ＦＰ家具前面框
７−ＦＢ家具前面摺桟
７−Ｄ  家具脚部台輪
８  畳寄席天端
Ａ  直結固定方式アンカー部固定端末装具、アンカーポット
Ｂ  直結固定方式家具部固定端末装具、コネクターポット
Ｃ  離点間連結方式アンカー部固定端末装具、アンカーポット
Ｃ` 離点間連結方式長押装着専用固定端末装具。アンカーポット
Ｄ  離点間連結方式家具部固定端末装具、コネクターポット
Ｄ２  コネクターピースＦＫと連結するコネクターポット
Ｅ  直接固定方式用コネクターピース
ＥＷＵ  並列直結固定方式用連結装具、コネクターピース
ＥＷＳ  直列ニ連直結固定方式用連結装具、コネクターピース
ＥＷＳＢ  ＥＷＳコネクターピース補強ビーム
Ｆ  離点間連結方式用連結装具、コネクターピース
ＦＫ  アンカーポットＣ〜Ｃ間に展張されたケーブルＧとＤ２を連結する連結装具コネク
ターピース
Ｇ  家具頂部直近部位にアンカーポットＣ〜Ｃ間に対向して展張されたケーブル
イ  固定端末装具の各ポット本体部
ロ  各ポットを連結するコネクターピースが挿入されるポット本体のピット部
ハ  各固定端末装具本体部イを所定部位に固定するためのプレート部
ニ  各ポットプレート部を固定するためのビス挿入ピット及び固定ビス
ホ  連結装具コネクターピースの固定フイン
ホＷ  連結装具コネクターポットＤ２に挿入されるコネクターピースＦＫの固定フィン
ヘ  各連結装具、コネクターピースＥ・Ｆのフイン固定ビス挿入ピット及び固定ビス
ト  離点間固定端末装具の各コネクターポットの相互を連結するケーブル挿入ピット
チ  離点間連結各ポットＣ及びＤに挿入連結するコネクターピースＦ〜Ｆを連結するケー
ブル
リ  畳寄席、板床面装着専用アンカーポットのベースプレート部
ヌ  専用アンカーポットベースプレート部リを固着するためのビス挿入ピットとビス
ル  専用アンカーポットのポット本体部イとベースプレート部リを固着するプレート
Ｉｉ  ポットプレート部ハの端末部に、コネクターピースの挿入ピットのロがプレート短    辺側に装備きれた図３の型式によるポット
ＩＬ  ポット本体部イのコネクターピースが挿入されるピット部のロがプレート部ハの
長辺側に設られ、プレート部ハの、端末部の一方にポット本体部のイが装備された
型式のポット
ＩＬＺ  畳床専用アンカーポットと、家具装着用コネクターポットを並列方式で装着し、
図１６コネクターピースＥＷＵで直接固定する場合、図２のＩＬ型ポットプレート
部ハをコネクターピースの肉厚分Ｚ形に折曲げた家具脚部Ｄ−７に装着するコネク
ターポット
ＬＬ  図２のＩＬ型ポット本体部イを９０度折曲げ、プレート部ハの一方の端末面にポッ    ト本体部イが矩折状に装備された型式のポット
ＬＩ  図３のＩＩ型ポット本体部イを９０度折曲げ、プレート部ハの一方の端末面にポッ    ト本体部イが矩折状に装備された型式のポット
ＰＬＬ  図４のＬＬ型ポットのプレート部ハを切離し、右回りに９０度回転させ、ポット
本体部イが、プレート部ハの長辺左側面端末部に固着装備された、矩折旗型左勝手方
式のポット
ＰＬＲ  ＰＬＬ型ポット本体部イを切離し、プレート部ハの右長辺右側面端末部にＰＬＬ
型ポットと逆になる形で固着装備された、矩折旗型右勝手方式のポット
ＰＩＬ  図６のＰＬＬ型ポットのプレート部ハを、ポット本体部イに向かって右に９０度
展開し、プレート部ハの左側面端末部に、ポット本体部イが固着装備された、旗型左    勝手方式のポット
ＰＩＲ  図６のＰＬＲ型ポットのプレート部ハを、ポット本体部イに向かって左に９０度
展開し、プレート部ハの右側面端末部にポット本体部イが固着装備された、旗型右勝    手方式のポット
ＰＬＬＬ  図５のＬＩ型ポット本体部イを切離し、プレート部ハを右回りに９０度回転さ
せ、プレート部ハの長辺左側面端末部にポット本体部イが固着装備された、矩折旗型    左勝手方式のポット
ＰＬＬＲ  ＰＬＬＬ型ポットと逆に、ポット本体部イがプレート部ハの長辺右側面端末部
に固着装備された矩折旗型左勝手方式のポット
ＰＳＬ  ＰＬＬＬポットの本体部イを切離し、プレート部ハをポットに向かって右に９０
度展開、プレート部ハの長辺左側面端末部に、ポット本体部イが固着装備された、旗    型左勝手方式のポット
ＰＳＲ  ＰＳＬポットと逆に、ポット本体部イが、プレート部ハの長辺右側面端末部に、
固着装備された旗型右勝手方式のポット
ＶＬＬ  アングル状のプレート部ハの一方の端末面にポット本体部イの短辺側側面を固着
装備し、ポット本体部イを上にしてポットが固着された面が固着されない面から見て    左側となるアングルプレート左勝手型式のポット
ＶＬＲ  アングル状プレート部ハの端末面に、ポット本体部イが固着された面が、固着さ
れない面から見て右側となるアングルプレート右勝手型式のポット
ＬＸＬ  アングル状プレートの一方の端末部に、ポット本体部イの小口面を固着装備し、
ポット本体部イを上にして、固着された面が、固着されない面の左側にある左勝手型    式のアングルポット
ＬＸＲ  ＬＸＬポットのポット本体部イの固着装備部位を逆にして、固着された面が固着
されない面の右側にある右勝手型式のアングルポット
ＢＺＬ  畳寄席天端、板床表面装着専用のポット。ポット本体部イを、コネクターピース
挿入ピット部ロの長辺面が水平となるようポット補強プレート部ルの左上端末に固着    装備された左勝手型式のアンカーポット
ＢＺＲ  ポット本体部イの固着部が、ＢＺＬポットと逆に、補強プレート部ルの右上端末
に固着装備された、右勝手型式のアンカーポット
ＢＰＬ  畳寄席天端、板床表面装着専用ポット。ポット本体部イを、補強プレート部ルの
左上端末部にコネクターピース挿入ピット部ロが垂直となる向きに固着装備された左    勝手型式のアンカーポット
ＢＰＲ  ポット本体部イが、ＢＰＬ型式とは逆に補強プレート部ルの右上端末に固着装備
された右勝手型式のアンカーポット
ＢＯＸＬ  アングル状のプレート部ハの内側からみて、ポット本体部イのコネクターピー
ス挿入ピット部ロを正面にして、ポット本体部イを、ピット部の短辺側をプレート左    面に、長辺側をプレート正面としてアングルプレート端末部に固着装備した左勝手型    式のポット
ＢＯＸＲ  ＢＯＸＬと逆向きで、ピット部の短辺側をプレート右面に、長辺側をプレート
正面としてポット本体部イを、アングルプレート端末部に固着装備した、右勝手型式    のポット
ＰＬＬＲＣＰ  図８のＰＬＬＲポットプレート部ハの外側を底面に、ポットを固定するた
め畳床へ挿入するピンが、底面に固着された畳床装着専用のアンカーポット
ＰＬＬＲＰＰ  図８のＰＬＬＲポットプレート部ハに、畳床に挿入してポットを固定する
ピンＰＰ挿入ピットのニが設けられた畳床装着専用のアンカーポット
ＰＬＲＣＰ  図６のＰＬＲポットプレート部ハの外側を底面に、ポットを固定するため畳
床へ挿入するピンが、あらかじめ固着された畳床装着専用のアンカーポット
ＰＬＲＰＰ  図６のＰＬＲポットプレート部ハに、畳床に挿入し、ポットを固定するピン
ＰＰ挿入ピットのニが設けられた畳床装着専用のアンカーポット
【図１】
0005385332.tif 000002
【図２】
0005385332.tif 000003
【図３】
0005385332.tif 000004
【図４】
0005385332.tif 000005
【図５】
0005385332.tif 000006
【図６】
0005385332.tif 000007
【図７】
0005385332.tif 000008
【図８】
0005385332.tif 000009
【図９】
0005385332.tif 000010
【図１０】
0005385332.tif 000011
【図１１】
0005385332.tif 000012
【図１２】
0005385332.tif 000013
【図１３】
0005385332.tif 000014
【図１４】
0005385332.tif 000015
【図１５】
0005385332.tif 000016
【図１６】
0005385332.tif 000017
【図１７】
0005385332.tif 000018
【図１８】
0005385332.tif 000019
【図１９】
0005385332.tif 000020
【図２０】
0005385332.tif 000021
【図２１】
0005385332.tif 000022
【図２２】
0005385332.tif 000023
【図２３】
0005385332.tif 000024
【図２４】
0005385332.tif 000025
【図２５】
0005385332.tif 000026
【図２６】
0005385332.tif 000027
【図２７】
0005385332.tif 000028
【図２８】
0005385332.tif 000029
【図２９】
0005385332.tif 000030
【図３０】
0005385332.tif 000031
【図３１】
0005385332.tif 000032
【図３２】
0005385332.tif 000033
【図３３】
0005385332.tif 000034
【図３４】
0005385332.tif 000035
【図３５】
0005385332.tif 000036
【図３６】
0005385332.tif 000037
【図３７】
0005385332.tif 000038
【図３８】
0005385332.tif 000039
【図３９】
0005385332.tif 000040
【図４０】
0005385332.tif 000041
【図４１】
0005385332.tif 000042
【図４２】
0005385332.tif 000043